(57)【要約】【課題】  地下室の換気を行うにあたり、地下室の二重壁内と床下を乾燥した状態に保つことが可能となる地下室の浮き床と二重壁の換気構造を提供する。【解決手段】  地下室の天井部分に空気導入口を設けると共に、地下室の床のスラブ上に配置された浮き床と、壁を二重壁に構成し、浮き床には浮き床の下側に空気を導く為の複数の導入口が設けられると共に、前記、浮き床の下側の空気と二重壁の壁内部の空気とを建物外に排出する排気手段を設けたことを特徴とする地下室の浮き床と二重壁の換気構造。【選択図】図１
2008019691.tif 000002
【特許請求の範囲】
【請求項１】
地下室の天井部分に空気導入口を設けると共に、地下室の床のスラブ上に配置された浮き床と、壁を二重壁に構成し、浮き床には浮き床の下側に空気を導く為の複数の排気取込口が設けられると共に、前記、浮き床の下側の空気と二重壁の壁内部の空気とを建物外に排出する排気手段を設けたことを特徴とする地下室の浮き床と二重壁の換気構造。
【請求項２】
地下室の床のスラブ上に配置された浮き床を壁に当接させると共に、複数の排気取込口を浮き床の角部に構成し、当接させた浮き床と二重壁の間に排気通路を設け、地下室内の空気を排気取入口を経由して浮き床の下側に導いた後、浮き床と二重壁の間の排気口を経由して建物外に排出させたことを特徴とする地下室の浮き床と二重壁の換気構造。
【請求項３】
地下室への空気取入口を上層階の室内部分の床と天井との概ね中間部分より上部に設けると共に、取入れた空気を地下室に設けた空気噴出口より噴出すように構成したことを特徴とする請求項１叉は２に記載の地下室の浮き床と二重壁の換気構造。
【請求項４】
地下室への空気取入口を上層階の階段室の床と、その上部階との概ね中間部分より上部に設けたことを特徴とする請求項１叉は２に記載の地下室の浮き床と二重壁の換気構造。
【請求項５】
地下室へ空気を導く吸気通路は地下室への階段通路を兼用したことを特徴とする請求項１叉は２に記載の地下室の浮き床と二重壁の換気構造。
【請求項６】
地下室の排気を導く排気通路を地下室の二重壁内に設け、排気吸込口を二重壁の床下近傍に設けたことを特徴とする請求項２に記載の地下室の浮き床と二重壁の換気構造。
【請求項７】
地下室の排気を導く排気通路を階段室の二重壁内に設けると共に、排気通路の先端の排気吸込口を二重壁の床下近傍に設けたことを特徴とする請求項２に記載の地下室の浮き床と二重壁の換気構造。
【請求項８】
浮き床の角部に構成した複数の排気取込口に湿度感知センサーを取付けると共に、その排気取込口に排気ファンと開閉式ダンパーを取付けたことを特徴とする請求項１叉は２に記載の地下室の浮き床と二重壁の換気構造。
【発明の詳細な説明】
【技術分野】
【０００１】  この発明は、地下室を換気するための、地下室の浮き床と二重壁の換気構造に関するものである。
【背景技術】
【０００２】  地下室は、建築基準法において容積率の緩和が認められているため、地価の高い土地や、または狭い土地に建物を建築する際、基準となる土地の容積率に対して建物の建築面積を大きく取ることが可能となると共に、音漏れが少ないので、夜遅くでも安心して大音量での楽器の練習や、音楽、ＤＶＤ鑑賞が出来るようになるため、日本のような、特に都市部の地価が高い土地や、建ペい率が狭い土地に住宅を建設する際には、最も適している構造形態であるといえる。【０００３】  しかしながら、地下室は機密性が高く自然換気が期待できないため、接着剤に含まれるホルムアルデヒドや化学物質等のシックハウス症候群が問題となっている。そのため、地下室の換気に対する重要性は従来から指摘されている。【０００４】  このように、従来から地下室の換気を目的とした発明は、特許文献１に記載されたようなものがある。この特許文献１には、地下室と１階室との間で空気を循環させて、地下室の温度変化の少ない安定した空気を利用して、冬の寒期には１階室の気温よりも暖かい地下室の空気で１階室の気温を高めることができる一方、夏には１階室の気温より冷涼な地下室の空気を１階室に循環させて、１階室の温度を下げる工法が記載されている。【０００５】  ちなみに、地下の地温は年間を通してあまり変化せず、屋外気温と比較して、夏は低く、冬は高いことがよく知られている。例えば、東京都足立区の当社の地下室が構築されている地下３ｍの深さの地温は、当社が長年に渡り実測した結果として、夏場で約２１度、冬場で約１４度である。【０００６】  さらに、前記実施例とは別に、特許文献２には、地下室の床の鋼製床パネル上に根太を介して床仕上げをすると共に、床パネル内の空気と地下室の室内空間との空気を、換気装置で循環換気することにより、鋼製床パネルの下方の地温と近似した温度の床パネル内空間の空気を、地下室の室内空間に給気することになり、夏は戸外よりも冷たい空気が循環すると共に、冬には戸外よりも暖かい空気が室内空間に給気されるため、室内空間の空気は床パネル内空間に吸引排気されて夏は冷やされ冬は温められるものが記載されている。【０００７】  このような状況の中で、建築基準法が平成１７年に改正され、居室の換気性能が強化された事により、地下室を居室として使用する場合、地下室内の空気を２時間で全て入換える能力が必要とされるため、地下室の換気に関する関心が高まってきている。【０００８】  しかしながら、このような特許文献１や特許文献２のような、従来のものは、現在の建築基準法に適合できないため、居室として使用することが困難であった。【０００９】  そこで、本出願人は特許文献３に記載された、建築基準法に対応できる地下室用床下換気構造を発明し出願した。この発明によれば、建物の地上部分の外壁に設けられた空気吸込み口と、地下室のスラブ上に一定間隔をおいて浮き床が配設され、その浮き床に地下室内から浮き床の下側に空気を導入する導入口が設けられ、外壁に設けられた空気吸込み口から導かれた外気が、地下室内から浮き床の下側に導かれ、その空気を排気通路を経由して地上部分の建物外壁より外に排気させている。
【特許文献１】特開平１５−２１３８０９
【特許文献２】特開平１７−１２７１１７
【特許文献３】特開平１８−００２３８５
【発明の開示】
【発明が解決しようとする課題】
【００１０】  しかしながら、本出願人の出願した特許においては、地下室の壁を二重壁としていないため、お客様が部屋に防音対策を希望したり、壁のクロス張りを希望した場合、対応に苦慮するといった問題が発生していた。【００１１】  そこで、この発明は、地下室の二重壁内と床下換気を構築するにあたり、構造が簡単で、地下室の二重壁内と床下を乾燥した状態に保つことが可能となる地下室の浮き床と二重壁の換気構造を提供することを課題とする。
【課題を解決するための手段】
【００１２】  かかる課題を達成するために、請求項１に記載の発明は、地下室の天井部分に空気導入口を設けると共に、地下室の床のスラブ上に配置された浮き床と、壁を二重壁に構成し、浮き床には浮き床の下側に空気を導く為の複数の排気取込口が設けられると共に、前記、浮き床の下側の空気と二重壁の壁内部の空気とを建物外に排出する排気手段を設けたことを特徴とする。【００１３】  請求項２に記載の発明は、地下室の床のスラブ上に配置された浮き床を壁に当接させると共に、複数の排気取込口を浮き床の角部に構成し、当接させた浮き床と二重壁の間に排気通路を設け、地下室内の空気を排気取込口を経由して浮き床の下側に導いた後、浮き床と二重壁の間の排気口を経由して建物外に排出させたことを特徴とする。【００１４】  請求項３に記載の発明は、請求項１叉は２に記載の構成に加え、地下室への空気取入口を上層階の室内部分の床と天井との概ね中間部分より上部に設けると共に、取入れた空気を地下室に設けた空気噴出口より噴出すように構成した事を特徴とする。【００１５】  請求項４に記載の発明は、請求項１叉は２に記載の構成に加え、地下室への空気取入口を上層階の階段室の床と、その上部階との概ね中間部分より上部に設けた事を特徴とする。【００１６】  請求項５に記載の発明は、請求項１叉は２に記載の構成に加え、地下室へ空気を導く吸気通路は地下室への階段通路を兼用した事を特徴とする。【００１７】  請求項６に記載の発明は、請求項２に記載の構成に加え、地下室の排気を導く排気通路を地下室の二重壁内に設け、排気吸込口を二重壁の床下近傍に設けた事を特徴とする。【００１８】  請求項７に記載の発明は、請求項２に記載の構成に加え、地下室の排気を導く排気通路を階段室の二重壁内に設けると共に、排気通路の先端の排気吸込口を二重壁の床下近傍に設けた事を特徴とする。【００１９】  請求項８に記載の発明は、請求項１叉は２に記載の構成に加え、浮き床の角部に構成した複数の排気取込口に湿度感知センサーを取付けると共に、その排気取込口に排気ファンと開閉式ダンパーを取付けた事を特徴とする。
【発明の効果】
【００２０】  請求項１に記載の発明によれば、地下室の天井部分に空気導入口を設けると共に、地下室の床のスラブ上に配置された浮き床と、壁を二重壁に構成し、浮き床には浮き床の下側に空気を導く為の複数の排気取込口が設けられると共に、前記、浮き床の下側の空気と二重壁の壁内部の空気とを建物外に排出する排気手段を設けたことにより、従来から自然換気が期待できない状態の地下室においても、地下室内の下部に溜まる、湿度の高い空気を換気することができ、浮き床や二重壁の内部のカビの発生や、結露を防ぐことが出来る。【００２１】  請求項２に記載の発明によれば、地下室の床のスラブ上に配置された浮き床を壁に当接させると共に、複数の排気取込口を浮き床の角部に構成し、当接させた浮き床と二重壁の間に排気通路を設け、地下室内の空気を排気取込口を経由して浮き床の下側に導いた後、浮き床と二重壁の間の排気口を経由して建物外に排出させたことにより、地下室内の空気を、一旦、浮き床内に取り込んだのち、二重壁を通って建物の外へ排出させるため、地下室内の浮き床下部の空気を効率よく排気することが可能となる。【００２２】  請求項３に記載の発明によれば、地下室への空気取入口を上層階の室内部分の床と天井との概ね中間部分より上部に設けると共に、取入れた空気を地下室に設けた空気噴出口より噴出すように構成したことにより、室内の温度と湿度が安定した空気を取込むことが出来るようになり、従来のように、梅雨の時期や夏場の湿度の高い時期に、建物の外部からの空気を直接、室内に取入れる事により発生していた、地下室内の温度上昇の問題や、湿度の高い空気を取込むことにより発生した結露の問題を解決することが出来る。この場合、上層階の室内部分においても、天井部に比べて床部は湿度が高いため、空気取入口を床部に近い場所に設置することは厳禁である。なお、空気取入口を設ける上層階の部屋の条件は、家族が常時使用しているリビング等の、温度、湿度が安定している部屋が望ましい。【００２３】  請求項４に記載の発明によれば、狭い敷地に自宅を建設することが多くなり、さらに、１階部分を駐車場にする場合が増えているため、建物の１階部分の居室が無くなる傾向にある。その場合には、地下室への空気取入口を１階の階段室の床と、その上部階との概ね中間部分より上部に設けることより、温度と湿度が安定した室内の空気を取込むことが重要である。さらに、この場合、天井部に比べて床部の湿度が高いので、空気取入口を床部に近い場所に設置することは厳禁である。【００２４】  請求項５に記載の発明によれば、地下室へ空気を導く吸気通路を地下室への階段通路と兼用したことにより、建物の構造上、防火区画が無く、地下室への階段通路が建物外の空気が直接流れ込まないような場所に設置されている場合は、空気取入口並びに吸気通路を地下室の階段によって代用することが可能となり、コストの削減と工期の短縮を図ることができる。【００２５】  請求項６に記載の発明によれば、室内の空気は、天井付近に比べて床付近の空気は水分を多く含み湿度が高い。そのため、地下室の排気を導く排気通路を地下室の二重壁内に設け、排気吸込口を二重壁の床下近傍に設けたことにより、二重壁の底部にたまった湿度の高い空気を吸出し、効率的に湿度の高い空気を排気することが可能となるため、床や壁の結露の問題を解決することができる。【００２６】  請求項７に記載の発明によれば、従来から、地下室を構築する際の床、壁、天井のコンクリートスラブは、水の浸入を防止するため、地下室階段のための開口部を除いて出来るだけ開口部を少なくして、コンクリート一体構造で作られている。そのため、地下室の排気を導く排気通路を階段室の二重壁内に設けると共に、排気通路の先端の排気吸込口を二重壁の床下近傍に設けたことにより、排気のための穴を新たに天井スラブに開口する必要が無くなり、天井スラブに排気通路を設ける際の防水工事を省略できると共に、工事を簡素化できる。【００２７】  請求項８に記載の発明によれば、浮き床の角部に構成した複数の排気取込口に湿度感知センサーを取付けると共に、その排気取込口に排気ファンと開閉式ダンパーを取付けたことにより、地下室内における、湿度の高い場所の空気を効果的に排気することが可能となる。
【実施例１】
【００２８】  以下、この発明の実施の形態１について説明する。
［発明の実施の形態１］【００２９】  図１及至図７は、この発明の実施の形態１を示す。【００３０】  図１は防火区画が有る建物の斜視図である。この建物１は、１階に居室１１と、その居室壁１０が構成され、地下室２への階段部分は防火区画４で囲まれている。【００３１】  居室壁１０には空気取入口１２が設けられ、その居室壁１０の内部に給気通路９が設けられ、地下室２の天井４８には天井ガラリ１３が取付けられ、さらに、地下室２の床１４の四隅には、排気を取込むための床ガラリ５が設けられている。【００３２】  このように構成された居室１１内の空気は矢印Ａで示すように、空気取入口１２から取込まれ、給気通路９を経由して天井ガラリ１３より矢印Ｂで示すように地下室２の室内に送り込まれる。【００３３】  さらに、このように送り込まれた空気は、地下室２の床１４の四隅に設けられた、排気を取込むための床ガラリ５より矢印Ｃで示すように床１４内の床下排気通路３１に導かれ、二重壁内に設けられた排気通路８を経由して矢印Ｆで示すように建物１外に排出される。【００３４】  図２及至図４は、浮き床２６と二重壁３０の構造と、地下室２内の排気方法を示す。【００３５】  図２ａに示すように、地下室２の四隅に床ガラリ５が構成され、排気口３３と対向する位置に浮き床から二重壁への排気口２４が設けられている。さらに、図２ｃで示すように、浮き床２６は支持脚２８で支えられて床スラブ２７との間に床下排気通路３１を設けるように構成され、浮き床２６は壁スラブ２３と当接するように置かれ、その上部にフローリング２７が施工される。なお、排気口３３と浮き床から二重壁への排気口２４の位置関係は、二重壁内を流れる排気の量を二重壁内の何れの位置でも一定にするために、地下室の相対向する位置に配置するのが望ましい。【００３６】  また、図３に示すように、二重壁３０は、壁スラブ２３にスクリューパッキン２９を固定し、そのスクリューパッキン２９に石膏ボード２５を固定すると共に、該石膏ボード２５の下部は浮き床２６に当接するように置かれ浮き床２６下の空気が二重壁３０に直接流れ込まないように二重壁内排気通路３６を構成する。【００３７】  図４は地下室内の空気を室外へ排気させるための構造に関する断面図である。【００３８】  床スラブ６の上に支持脚２８を置くと共に、その上部に浮き床２６を固定し、さらに、その上部にはフローリング２７が構成される。石膏ボード２５は図３に示すようにスクリューパッキン２９により壁スラブ２３に固定される。このようにして構成された二重壁内排気通路３６の内部に排気ダクト８を取付けると共に、その排気ダクト８に排気ファン３２を取付け、建物の外側に排気口３３を取付ける。なお、排気通路カバー３４は排気ダクト８を保護するためのものである。【００３９】  このように構成された、排気ファン３２を駆動することにより、地下室内の空気は矢印Ｃで示すように、床ガラリ５から吸い込まれ、矢印Ｄで示すように、床下排気通路３１を経由して浮き床から二重壁への排気口２４を通過して二重壁内排気通路３６に導かれ、排気ダクト吸込み口３７より吸い込まれ、排気ダクト８を経由して排気口３３より矢印Ｆで示すように建物外に排出される。【００４０】  なお、湿度の高い空気は二重壁内の下部に滞留するため、排気ダクト吸込み口３７は、二重壁内排気通路３６のできるだけ下部に設けることが好ましい。【００４１】  また、浮き床から二重壁への排気口２４は、石膏ボード２５と壁スラブ２３との間の間隔が狭く、風切音が発生するため、横長にして開口面積を広く取ることが望ましい。実際に構成する場合においては、地下室内の広さにもよるが、浮き床から二重壁への排気口２４は縦３〜４センチメートル、横４０〜５０センチメートルとすることが望ましい。【００４２】  図５は、地下室内の給気に関する地下室の断面図である。【００４３】  １階の居室壁１０と石膏ボート５３で囲まれた空間の、１階床４７と１階天井４６の、概ね中間部分より上部に空気取入口１２を設けると共に、１階居室壁１０と石膏ボート５３で囲まれた空間に給気通路９を構成し、その給気通路９を地下室天井４８部分まで延長し地下室天井４８に天井ガラリ１３を取付ける。【００４４】  このようにして構成された給気通路９に対して、居間１１の室内空気が矢印Ａで示すように空気取入口１２より取込まれ給気通路９を経由して矢印Ｂで示すように地下室２に供給される。【００４５】  なお、湿度の高い空気や、汚れた空気は居室内の低い位置に停滞するため空気取入口１２の位置は、居室の概ね中間部分より上部に設けることが望ましい。【００４６】  図７は、地下室内における湿度センサー付排気装置の断面図である。【００４７】  図１で示した床ガラリ５と同様に地下室２の四隅に排気口７０を設けると共に、湿気センサー６９と給気ファン６８並びに開閉式ダンパー６７で構成された排気装置６６を取付ける。【００４８】  このように構成された湿度センサー付排気装置は、通常は、開閉式ダンパー６７が閉口した状態で、なおかつ給気ファン６８が停止した状態に置かれるが、湿気センサー６９が一定以上の湿度を感知することにより、開閉式ダンパー６７を開口し、給気ファン６８が運転を開始して地下室内の空気は矢印Ｋで示すように給気ファン６８により給気され矢印Ｌに示すように地下排気通路４０に導かれる。
【実施例２】
【００４９】  以下、この発明の実施の形態２について説明する。
［発明の実施の形態２］【００５０】  図８は、この発明の実施の形態２を示す。上記発明の実施の形態１では、防火区画で区切られた建物について説明したのに対して、この発明の実施の形態２では、防火区画が無い建物を示す。そのため上層階からの空気を地下室の階段部２１を兼用して給気されるように構成される。この場合、図１で説明した空気取入口１２、給気通路９、天井ガラリ１３を省略することが可能となり、これらを地下室の階段室によって代用することができる。その他の構造は、この発明の実施の形態１と同様である。
【実施例３】
【００５１】  以下、この発明の実施の形態３について説明する。
［発明の実施の形態３］【００５２】  図９は、この発明の実施の形態３を示す。上記発明の実施の形態１では、図５のように地下室２が１部屋で形成されていたのに対して、この発明の実施の形態３では地下室２の居室が複数構成された場合を示す。図９に示すように、居室１１内の空気は矢印Ｇで示すように、空気取入口５２から取込まれ、給気通路５０を経由して天井ガラリ５１より矢印Ｈで示すように地下室２の別々の室内に送り込まれる。その他の構造は、この発明の実施の形態１と同様である。
【実施例４】
【００５３】  以下、この発明の実施の形態４について説明する。
［発明の実施の形態４］【００５４】  図１０は、この発明の実施の形態４を示す。上記発明の実施の形態１では、図５のように空気取入口が１階の居室壁に設けられていたのに対して、この発明の実施の形態４では１階部分に車の駐車場が設けられ、１階部分に居室が無い場合に対応している。図１０に示すように、１階の階段室の空気は矢印Ｉで示すように、空気取入口５９から取込まれ、給気通路６１を経由して天井ガラリ６２より矢印Ｊで示すように地下室２に送り込まれる。その他の構造は、この発明の実施の形態１と同様である。【００５５】  以上、実施の形態に基づいて、本発明に係る地下室の浮き床と二重壁の換気構造について詳細に説明してきたが、本発明は、以上の実施の形態に限定されるものではなく、発明の趣旨を逸脱しない範囲において各種の改変をなしても、本発明の技術的範囲に属するのはもちろんである。【００５６】  図１において、床ガラリ５は四角型で図示したが、床ガラリ５の形状はこれにこだわることなく、丸型等でもかまわない。さらに、ダクト等を用いて矢印Ｃの取込口を二重壁３０の下部の壁面に構成してもかまわない。【００５７】  図５において、空気取入口１２並びに天井ガラリ１３に、電動式給気ファンは記載されてないが、地下室の広さや複数の居室に対応させるためには、空気取入口１２叉は天井ガラリ１３に電動式給気ファンを取付けることも可能である。【００５８】  図７における排気装置６６は、湿気センサー６９と給気ファン６８並びに開閉式ダンパー６７で構成されているが、湿気センサー６９の位置を室内床部や壁部に変更したり、開閉式ダンパー６７をスライド式叉は回転式に変更することも可能である。
【図面の簡単な説明】
【００５９】
【図１】防火区画が有る建物の斜視図である。
【図２】地下室内の排気経路の説明図である。
【図３】地下室内の浮き床と二重壁の断面斜視図である。
【図４】地下室内の空気を室外へ排気させるための構造に関する断面図である。
【図５】地下室内の給気に関する地下室断面図である。
【図６】浮き床と二重壁との関係を示す地下室の部分断面図である。
【図７】地下室内における湿度センサー付排気装置の断面図である。
【図８】防火区画が無い建物の斜視図である。
【図９】地下室内の給気に関する地下室断面図である。
【図１０】地下室内の給気に関する地下室断面図である。
【符号の説明】
【００６０】１                  建物
２                  地下室
３                  地表面
４                  防火区画
５                  床ガラリ
６                  床スラブ
７                  地下室階段
８                  排気通路
９                  給気通路
１０                居室壁
１１                居間
１２                空気取入口
１３                天井ガラリ
１４                床
２０                地下室階段
２１                階段部
２２                階段室
２３                壁スラブ
２４                浮き床から二重壁への排気口
２５                石膏ボード
２６                浮き床
２７                フローリング
２８                支持脚
３１                床下排気通路
３２                排気ファン
３３                排気口
３４                排気通路カバー
３６                二重壁内排気通路
３７                排気ダクト吸込み口
３８                捨てコンクリート
３９                砕石
４０                床下排気通路
４１                外壁
４６                １階天井
４７                １階床
４８                地下室天井
４９                １階居室壁
５０                給気通路
５１                地下室壁ガラリ
５２                地下室居室壁
５９                給気ガラリ
６０                １階階段室
６１                給気通路
６２                天井ガラリ
６３                １階階段
６６                排気装置
６７                開閉式ダンパー
６８                給気ファン
６９                湿度センサー
【図１】
2008019691.tif 000003
【図２】
2008019691.tif 000004
【図３】
2008019691.tif 000005
【図４】
2008019691.tif 000006
【図５】
2008019691.tif 000007
【図６】
2008019691.tif 000008
【図７】
2008019691.tif 000009
【図８】
2008019691.tif 000010
【図９】
2008019691.tif 000011
【図１０】
2008019691.tif 000012